(57)【特許請求の範囲】
【請求項１】
インターネットから、外部記録媒体に保存するオーサリング形式の動画コンテンツのダウンロードを行う通信手段と、
前記ダウンロードが暗号化されていた場合にデータを復号化する復号化手段と、
前記動画コンテンツを保持することが出来る容量を備えたストレージと、を備え、
前記動画コンテンツを暗号化して前記ストレージに保存し、
前記外部記録媒体に既に記録されている暗号化の為の情報を生成して、該情報を前記ストレージに記録することが可能であり、
更に、外部記録媒体用記録ドライブを備え、
前記ストレージに保存されている動画コンテンツを前記外部記録媒体に記録することが可能であり、
前記外部記録媒体用ドライブは前記外部記録媒体に記録されている動画コンテンツを消去することが可能で、前記外部記録媒体に記録されている動画コンテンツを前記ストレージに移動させることが可能である
ことを特徴とするビデオ記録装置。
【請求項２】
前記暗号化は、外部記録媒体への保存のまとまり毎に分けて暗号化を行う請求項１に記載のビデオ記録装置。
【請求項３】
前記暗号化は、動画コンテンツのメニュー部のみ行う請求項１に記載のビデオ記録装置。
【請求項４】
前記暗号化は、動画コンテンツの一部だけ暗号化を行う請求項１に記載のビデオ記録装置。
【発明の詳細な説明】
【技術分野】
【０００１】
本発明は、インターネットを通してビデオコンテンツを配信するビデオコンテンツ配信サービスに利用されるビデオコンテンツ記録装置に関するものである。
【背景技術】
【０００２】
近年、家庭でのインターネットの普及、ＦＴＴＨ等の普及により通信速度が向上してきている。
【０００３】
特許文献１では“ユーザが、たとえばディスク型記録媒体にインターネットを経由して配信されてくるビデオコンテンツを記録し、記録されたビデオコンテンツを自由に視聴することができるようなビデオコンテンツ配信サービスを享受可能とするビデオコンテンツ記録装置、ビデオコンテンツ記録方法、ビデオコンテンツ配信記録システム、ビデオコンテンツ配信装置、プログラム、および媒体を提供することを目的とするものである。”とある。
【０００４】
【特許文献１】特開２００３−３３３５１７公報
【発明の開示】
【発明が解決しようとする課題】
【０００５】
ＤＶＤ等の外部記録媒体に記録されている動画コンテンツは、長時間の記録や、複数コンテンツの記録が出来ない等の問題がある。
また、コンテンツの数だけＤＶＤを保有する必要があり、大量のＤＶＤを保有していると、視聴したいコンテンツ探すのに時間がかかってしまう。
【０００６】
また、ＤＶＤ−ＲＯＭ等の外部媒体に保存されたコンテンツは著作権保護技術により複製を許可されていない為、ＨＤＤ等の大容量の記録媒体に移動させる事が出来ない。
【０００７】
本発明は、インターネットからＤＶＤ等の外部媒体記録向けに配信される動画コンテンツを、メニュー等のインタラクティブ機能情報や、著作権保護の暗号化状態を保ったまま動画コンテンツをＨＤＤ等の大容量ストレージに保存することにより、著作権者の権利を保護した状態で、ＤＶＤを探す手間や、多枚数の媒体を管理する必要を無くし動画コンテンツの検索性、管理の容易さを高める事を目的とする。
【課題を解決するための手段】
【０００８】
上記目的は、例えば、特許請求の範囲に記載の発明により達成される。
【発明の効果】
【０００９】
ＨＤＤ等の大容量ストレージにＤＶＤ等の外部記録媒体のデータを媒体への記録形式の状態で保存を行うことにより、ＤＶＤが持つメニューや字幕等のインタラクティブ機能を使用出来る状態で、多枚数のＤＶＤ向けコンテンツをＨＤＤに保存することが出来る。
【発明を実施するための最良の形態】
【００１０】
まず、本発明であるビデオ記録装置の各部分の動作について説明する。
図１は、本発明のビデオ記録装置の動作形態を示した図である。
動画コンテンツ配信サーバ１０７は、インターネット１０６を通じ外部と通信を行うことが出来、多数の動画コンテンツを保持し動画コンテンツを暗号化して送信することが可能なサーバである。
【００１１】
インターネット１０６はインターネットやＮＧＮ等の広域で誰でも接続することが可能なネットワークである。
ビデオ記録装置１０８は、インターネット１０６と通信を行う通信手段１０２を持つ。
ここで、通信手段１０２はインターネット１０６と通信を行うことが出来れば有線、無線等制限をするものではない。また、通信内容は暗号化されていても、暗号化されていなくてもかまわない。
【００１２】
また、ビデオ記録装置１０８はＴＶ等の表示装置である出力装置１００に映像を表示する機能を持っている。
ここで、出力装置１００への映像表示の機能によって出力される信号は、出力装置１００が表示可能な形式であれば、有線、無線、暗号化データ、非暗号化データ、アナログ出力、デジタル出力等制限をするものではない。
【００１３】
また、ユーザからの操作を受ける入力部１０１も備える。
図２に制御部１０３の詳細な機能を示す。
ここで、入力部１０１は、少なくとも制御部１０３にユーザの操作を入力するリモコンやキーボード、マウス、タッチパネル等を指し、特定のメカ操作機器に限定するものではない。もちろんユーザの操作により、振動やディスプレイへの表示変更など、制御部１０３からの出力を受ける機能を備えていても良い。
【００１４】
また、外部記録媒体用記録ドライブ１０５はＤＶＤやＢＤ、ＨＤ  ＤＶＤ  、ＳＤカード等の外部記録媒体のデータの記録、読み出しが可能である。
また、ＨＤＤ等の大容量のデータを記録出来る大容量ストレージ１０４にこれらの入力、出力、通信、記録を管理するのが制御部１０３である。
【００１５】
制御部１０３はＣＰＵやソフトウェア、ＬＳＩ等から構成されており１０５外部記録媒体用ドライブより読み出される外部記録媒体の動画データを１００出力手段に表示する機能を備える。
データ制御手段２０１は、ＣＰＵ等のハードウェアとソフトウェアの組み合わせ等で構成される。
【００１６】
入力手段１０１から来るユーザの指示を受け通信手段１０２、外部記録媒体用記録ドライブ１０５、記録＆読み出し手段２０３を通じて大容量ストレージ１０４からのデータを動画出力手段２０２に送り、出力装置１００に動画を表示させる機能を制御部１０３は持つ。
【００１７】
他には、入力手段１０１から来るユーザの指示を受け通信手段１０２、外部記録媒体用記録ドライブ１０５、記録＆読み出し手段２０３を通じて大容量ストレージ１０４からのデータを外部記録媒体用記録ドライブ１０５や大容量ストレージ１０４に記録させる機能を持つ。
【００１８】
動画出力手段２０２はデータ制御手段２０１を通じて送られてくる動画情報を出力装置１００が表示可能な形式に変換する。
記録＆読み出し手段２０３はデータ制御手段２０１よりデータの読み出し、記録の指示を受け、大容量ストレージ１０４に対してデータの読み出し、記録を暗号化・復号化をしながら行う。
【００１９】
図３に、記録＆読み出し手段２０３と大容量ストレージ１０４のデータを示す。
大容量ストレージ１０４は、データを保存することが可能な装置である。
【００２０】
ここで大容量ストレージ１０４は外部記録媒体に保存する形式の動画コンテンツを保存すことが可能な容量があればＨＤＤやＳＳＤ、ＢＤやＳＤカード、メモリ等記録媒体は何でも良い。
【００２１】
大容量記録媒体制御手段３０３は、大容量ストレージ１０４へのデータの読み出し、書き込みの機能を持つ。
書き込み時には、データ制御手段２０１の指示により暗号化手段３０１から送られてくるデータを大容量ストレージ１０４に書き込む。
読み出し時には、データ制御手段２０１の指示により大容量ストレージ１０４から読み出したデータを、復号化手段３００に送る。
【００２２】
暗号化手段３０１は、データ制御手段２０１より送られたデータの暗号化を行う。
また、暗号化不要なデータの場合、暗号化を行わなくても良い。
復号化手段３００は、大容量記録媒体制御手段３０３より送られたデータの復号化を行う。
また、暗号化されていないデータは、復号化を行わなくても良い。
図４は暗号化手段３０１を説明する図である。
暗号化バッファー４００は、メモリ等のデータの一時保存領域である。
暗号化４０１は送られたデータを決められた規則で暗号化する。
【００２３】
データ制御手段２０１より送られた動画コンテンツデータは、暗号化バッファー４００に一時的に貯められる。
暗号化バッファー４００に一定量以上の動画コンテンツデータが溜まると、暗号化４０１は、バッファー内の一定量の動画コンテンツデータを読み出し暗号化し、大容量記録媒体制御手段３０３へ送る。
【００２４】
この時の一定量とは、例えばＤＶＤへの記録向け動画コンテンツであればＶＯＢＵやＰＧＣ、チャプターやタイトル等の一定のまとまりで区切り暗号化するとＤＶＤビデオのデータ処理と同一の区切りとなる為、復号化処理単位でデータの処理が出来る。
【００２５】
これにより、チャプターサーチやジャンプ、メニュー表示等の操作を行った場合でも、ＤＶＤビデオのデータのまとまり毎に復号化出来るのでハードウェアの処理量を小さくすることが出来るメリットがある。
【００２６】
また、暗号化は、動画コンテンツ製作者の意図しない複製が行われなければ、動画コンテンツ全体ではなく、動画コンテンツの主要部分やメニュー部分、動画の最初だけ、一定間隔毎等一部分のみ暗号化しても良い。
【００２７】
また、ＤＶＤ媒体であればＣＳＳやＣＰＲＭ、ＢＤやＨＤ  ＤＶＤであればＡＡＣＳ等動画コンテンツ自身が暗号化されており、動画コンテンツ製作者の意図しない複製が行われないよう保護されていれば暗号化しなくても良い。
また、コピーフリーな動画コンテンツ等、複製しても問題ない動画コンテンツであれば暗号化しなくても良い。
【００２８】
ここで、動画コンテンツを大容量ストレージ１０４に保存する動作について説明する。
大容量記録媒体制御手段３０３は、データ制御手段２０１より送られた記録指示により、大容量ストレージ１０４の未記録領域に記録用の領域を確保する。
この時、保存する動画コンテンツを保存するべき外部記録媒体の暗号化方式等により、外部記録媒体に既に記録されている情報が必要な場合、データ制御手段２０１は外部記録媒体に記録されているべき情報を生成し大容量記録媒体制御手段３０３を通じて大容量ストレージ１０４に記録する。
【００２９】
その後、データ制御手段２０１は動画コンテンツを暗号化手段３０１に送り動画コンテンツの暗号化を行う。
大容量記録媒体制御手段３０３は、暗号化手段３０１によって暗号化された動画コンテンツを確保した記録用の領域に記録する。
【００３０】
図５は復号化手段３００を説明する図である。
復号化バッファー５００はメモリ等のデータの一時保存領域である。
復号化５０１は暗号化４０１によって暗号化されたデータを元のデータに復号化する。
大容量記録媒体制御手段３０３より送られた暗号化された動画コンテンツデータを復号化５０１により元の動画コンテンツデータに復号化する。
【００３１】
その動画コンテンツデータは復号化バッファー５００に蓄えられ、データ制御手段２０１に読み出されていく。
ここで、復号化バッファー４００と復号化バッファー５００は同一の一時保存領域でも良い。
【００３２】
ここで、大容量ストレージ１０４に記録された動画コンテンツの読み出す時の動作について説明する。
【００３３】
大容量記録媒体制御手段３０３は、データ制御手段２０１より送られた、読み出し領域指示により、任意の動画コンテンツが保存されている領域から、暗号化された動画コンテンツを読み出す。
読み出された動画コンテンツは、復号化手段３００に送られ、動画コンテンツの復号化が行われる。
データ制御手段２０１は復号化された動画コンテンツを読み出す。
【００３４】
次に、動画コンテンツ配信サーバ１０７から、動画コンテンツを大容量ストレージ１０４に保存する時の動作に図１を用いて説明する。
ユーザはビデオ記録装置１０８を操作し、動画コンテンツ配信サーバから保存したい動画コンテンツを受信する許可を得る。
【００３５】
ビデオ記録装置１０８はデータの受信許可を得ると出力装置１００に図６のような保存先選択の指示待ち画面を表示する。
図６は、動画コンテンツの保存先選択の指示待ちの画面の一例であり、動画コンテンツの保存先を選択することが出来れば、表示の構図、画像、ボタンの文、配置等は何でも良い。
【００３６】
今回は、大容量ストレージ１０４に保存したいのでＨＤＤへ保存ボタン６００を押したとする。
選択が終わると、図２に示すデータ制御手段２０１は図２に示す記録＆読み出し手段２０３を通じて大容量ストレージ１０４に動画コンテンツを記録する領域を確保する。
この時、動画コンテンツを保存すると想定されている外部記録媒体にかける暗号化方式がＣＰＲＭ等の外部記録媒体に既に記録されている情報を使用する方式の場合記録されているべき、暗号化情報も同時に大容量ストレージ１０４に記録する。
【００３７】
これにより、媒体に外部記録媒体に保存する場合と同等の暗号化を行って動画コンテンツを保存することが出来る。
次に制御部１０３は通信手段１０２を使用し、動画コンテンツ配信サーバ１０７から動画コンテンツのダウンロードを行う。
【００３８】
ダウンロードされた動画コンテンツデータは、制御部の中の記録＆読み出し手段２０３を通じ暗号化され大容量ストレージ１０４に保存される。
【００３９】
従来は、動画コンテンツをＨＤＤ等の大容量ストレージ１０４暗号化して保存出来ないが本発明のビデオ記録装置は、復号化手段３００、暗号化手段３０１及び外部記録媒体の持つ暗号化情報の生成機能を備えたので著作権保護の必要な動画コンテンツの著作権を保護した状態で大容量ストレージ１０４に保存することが出来るようになる。
【００４０】
次に、大容量ストレージ１０４に保存された動画コンテンツの再生する時の動作例を図１を用いて説明する。
ユーザが大容量ストレージ１０４に保存された動画コンテンツの再生操作メニュー表示を行うと出力装置１００に図７のようなコンテンツ選択画面が表示される。
【００４１】
ユーザは、大容量ストレージ１０４に保存されている動画コンテンツの中から見たいコンテンツを選択し再生ボタン７００を押す操作をする。
ここで、図７のＤＶＤライブラリの動画コンテンツ選択画面は一例であり、大容量ストレージに記録されている動画コンテンツを選択することが出来れば、表示の構図、画像、ボタンの文、配置等は何でも良い。
【００４２】
再生操作をされると、図２に示すデータ制御手段２０１は図２に示す記録＆読み出し手段２０３に選択された動画コンテンツに対応した読み出し領域の指示を出す。
図２に示す記録＆読み出し手段２０３は、読み出しタイトル指示を受け、指定された動画コンテンツ領域を復号しながら図２に示すデータ制御手段２０１に送る。
図２に示すデータ制御手段２０１は、復号化されたデータをＤＶＤ等の外部記録媒体から読み出されたデータと同様の処理を行い、動画コンテンツの再生を行う。
【００４３】
これにより、大容量ストレージ１０４に記録された動画コンテンツをＤＶＤ等の外部記録媒体に記録された動画コンテンツと同様に視聴することが出来る。
また従来は、動画コンテンツ毎に外部記録媒体を保持する必要があった為、多枚数の外部記録媒体の中から視聴したい動画コンテンツを探す必要があった、しかし、本発明のビデオ記録装置では多数の動画コンテンツを大容量ストレージ１０４に保存する機能を備えたので大容量ストレージ１０４に記録された動画コンテンツを探すだけで視聴したい動画コンテンツを見つけることが出来るようになる。
【００４４】
次に、大容量ストレージ１０４に保存されている動画コンテンツを外部記録媒体用記録ドライブ１０５にセットされたＤＶＤ等の外部記録媒体に移動させる時の動作例を図２を用いて示す。
【００４５】
前記動画コンテンツの再生と同じく動画コンテンツの再生操作メニュー表示操作を行い、出力装置１００に図７のようなコンテンツ選択画面が表示させる。
ここで、前記再生時と異なり、ＤＶＤへＭｏｖｅボタン７０１を押す操作を行う。
データ制御手段２０１はユーザの操作を受けると、記録＆読み出し手段２０３を通じて大容量ストレージ１０４から指定動画コンテンツを読み出す。
読み出された動画コンテンツデータは外部記録媒体用記録ドライブ１０５に送られ、ＤＶＤ等の外部記録媒体に記録される。
【００４６】
動画コンテンツの記録が終了すると、データ制御手段２０１は、大容量ストレージ１０４の指定コンテンツが記録されていた領域のデータを消去する。
【００４７】
また、外部記録媒体１０５から動画データを読み出し、記録＆読み出し手段２０３を通じて大容量ストレージ１０４に保存を行い、動画コンテンツが保存されていたＤＶＤ等の外部記録媒体のデータを消去することで、動画コンテンツを大容量ストレージ１０４に保存することも可能である。
【００４８】
また、前記動画コンテンツの消去処理は、動画コンテンツがコピーフリーやコピー回数の制限内である場合には行わなくても良い。
【００４９】
本実施例の大容量ストレージ１０４は、ビデオ記録装置１０８が備えている例で動作説明を行ったが、ＮＡＳ（Ｎｅｔｗｏｒｋ  Ａｔｔａｃｈｅｄ  Ｓｔｏｒａｇｅ）等のネットワーク上にある大容量データ保存機器でも良い。
【００５０】
また、ビデオ記録装置１０８は外部記録媒体用記録ドライブ１０５を無くして、外部記録媒体への動画コンテンツの移動を行わないようにしても良い。
【図面の簡単な説明】
【００５１】
【図１】ビデオ記録装置の実施方法を示した説明図である。
【図２】制御部１０３の動作を説明した説明図である。
【図３】記録＆読み出し手段２０３の動作を説明した説明図である。
【図４】暗号化手段３０１の動作を説明した説明図である。
【図５】復号化手段３００の動作を説明した説明図である。
【図６】動画コンテンツの保存先選択の指示待ちの画面の一例である。
【図７】ＤＶＤライブラリの動画コンテンツ選択画面の一例である。
【符号の説明】
【００５２】
１００…出力装置、１０１…入力部、１０２…通信手段、１０３…制御部、
１０４…大容量ストレージ、１０５…外部記録媒体用記録ドライブ
１０６…インターネット、１０７…動画コンテンツ配信サーバ、
１０８…ビデオ記録装置、２０１…データ制御手段、２０２…動画出力手段、
２０３…記録＆読み出し手段、３００…復号化手段、３０１…暗号化手段、
３０３…大容量記録媒体制御手段、４００…暗号化バッファー、４０１…暗号化、
５００…復号化バッファー、５０１…復号化、６００…ＨＤＤへ保存ボタン、
７００…再生ボタン、７０１…ＤＶＤへＭＯＶＥボタン。
【図１】
0004871840.tif 000002
【図２】
0004871840.tif 000003
【図３】
0004871840.tif 000004
【図４】
0004871840.tif 000005
【図５】
0004871840.tif 000006
【図６】
0004871840.tif 000007
【図７】
0004871840.tif 000008